(57)【要約】      （修正有）【課題】着用する衣服に目立たないようにボタン型のタグを装着し、ＩＤボタンタグから発信される無線信号を受信することにより、人の存在又は人の識別を行うＩＤボタンタグ、及びＩＤボタンタグを用いた離床・徘徊・見守り検知装置を提供する。【解決手段】着用する衣服に目立たないように装着可能な係止手段を有するＩＤボタンタグであって、ＩＤボタンタグ１は、タグ本体４と係止手段６からなり、タグ本体は特定周波数の無線信号（キャリア）又は予め登録された識別番号（ＩＤ）を無線信号で継続して発信するものであり、高周波発振回路、送信回路、送信アンテナ、制御回路及び電池を含んで構成されている。【選択図】図１
0003221768.tif 000002
【実用新案登録請求の範囲】
【請求項１】
着用する衣服に目立たないように装着可能な係止手段を有するＩＤボタンタグであって、該ＩＤボタンタグは、タグ本体と係止手段からなり、該タグ本体は特定周波数の無線信号（キャリア）又は予め登録されたＩＤ識別信号を無線信号で継続して発信するものであり、高周波発振回路、送信回路、送信アンテナ、制御回路及び電池より構成されていることを特徴とするＩＤボタンタグ。
【請求項２】
前記ＩＤボタンタグは、電源ＯＮの状態で、無線信号（キャリア）又はＩＤ識別信号を常時又は間欠送信していることを特徴とする請求項１に記載のＩＤボタンタグ。
【請求項３】
ＩＤボタンタグと、該ＩＤボタンタグから発信された無線信号を受信、検知して看護・介護者に報知する報知器と、無線信号を報知器へ中継する中継器とから構成されていることを特徴とする請求項１又は２に記載のＩＤボタンタグを用いた離床・徘徊・見守り検知装置。
【請求項４】
前記報知器は、看護・介護者が携帯可能な携帯型又は所定位置に設
置する固定型であることを特徴とする請求項３に記載のＩＤボタンタグを用いた離床・徘徊・見守り検知装置
【考案の詳細な説明】
【技術分野】
【０００１】
本考案は、着用する衣服に目立たないようにＩＤボタンタグを装着し、ＩＤボタンタグから発信される無線信号を受信することにより、人の存在又は人の識別を行って、離床や徘徊の報知、在宅・在室の検知に用いる離床・徘徊・見守り検知装置に関する。
【背景技術】
【０００２】
病院、介護施設及び家庭等において対象者の世話を行う場合、看護・介護者には精神的、肉体的に非常に大きな負担がかかるため、これらを軽減するために様々な支援装置が提案されている。例えば、本出願人は、前記支援装置に用いるセンサーとして、対象者がベッド、車いす又は椅子等から離床或いは離席したことを検知する離床センサーを開示している（例えば、特許文献１参照。）。
【先行技術文献】
【特許文献】
【０００３】
【特許文献１】特開２００５−１５２６１６号公報
【考案の概要】
【考案が解決しようとする課題】
【０００４】
特許文献１に示す離床センサーは、人の接触により反応するものであるため、対象者だけでなく、看護・介護者が離床センサーに接触すると反応するという問題点があり、対象者のみを検知する製品開発が望まれていた。
【課題を解決するための手段】
【０００５】
本考案は、前記課題を解決するために成されたものであり、ＩＤボタンタグは、タグ本体と着用する衣服に着脱可能に装着する係止手段から構成されている。前記タグ本体は、無線信号（キャリア）又は予め登録された識別信号を特定周波数域の無線信号で継続して発信する送信器であり、高周波発振回路、送信回路、送信アンテナ、制御回路及び電池を含んで構成されている。また、前記ＩＤボタンタグは、電源スイッチがＯＮの状態になると、無線信号（キャリア）又はＩＤ識別信号を常時又は間欠送信（例えば１〜３秒毎に）している。  
【０００６】
本考案の離床・徘徊・見守り検知装置は該ＩＤボタンタグから発信される無線信号（キャリア）又はＩＤ識別信号を受信することで、人の存在や対象者の識別又は看護・介護者の識別を行って離床や徘徊、或いは在宅・在室又は離室・離棟等の検知・報知が可能となる。  
【０００７】
例えば、ＩＤボタンタグと離床センサーを併用して使用する場合、該ＩＤボタンタグを対象者が装着すれば、装着者が接触した場合にのみ検知するといった運用ができる。また、徘徊感知機器と併用して使用する場合は、ＩＤボタンタグを装着している者のみを検知したり、装着者の中で特定の人物だけを検知することも可能となる。さらに、見守り機器と併用して使用する場合は、装着者の在宅・在室や離室・離棟などの検知が可能となる。  
【０００８】
離床・徘徊・見守り検知装置は、ＩＤボタンタグと、該ＩＤボタンタグから発信された無線信号を受信する中継器と検知した情報を看護・介護者に報知する報知器とＩＤボタンタグと併用して検知するための離床センサー等から構成されている。  
【０００９】
前記中継器は、例えば検知した情報を看護・介護者の携帯電話に通知するケアロボ（登録商標）などのコンソールやナースコールに連動するための無線中継器が挙げられる。  
【００１０】
前記報知器は対象者の看護・介護者が携帯可能な携帯電話などの携帯型又は所定位置に設置する固定型受信器などの固定型を選択することができる。
【考案の効果】
【００１１】
本考案のＩＤボタンタグはＩＤ識別信号を発信するため、該ＩＤボタンタグ装着者を容易に識別することができ、これによって対象者の検知精度が向上する。また、該ＩＤボタンタグは小型の送信器であり、装着者の衣服のボタン部（例えば、ボタンホール）、襟及びポケット部等に着脱自在に取付けることで、対象者に装着した場合でも気付かれにくい。これにより装着者の不快感を軽減し該対象者が故意にボタンタグを取り外すことに起因する事故を未然に防ぐことができる。
【図面の簡単な説明】
【００１２】
【図１】本考案のボタンタグの一実施形態を示したもので、（ａ）は正面図、（ｂ）は右側面図、（ｃ）は背面図である。
【図２】本考案のボタンタグの他の実施形態を示したもので、（ａ）は正面図、（ｂ）は右側面図、（ｃ）は背面図である。
【図３】本考案のボタンタグに装着された送信器の実施形態の一例を示すブロック図である。
【考案を実施するための形態】
【００１３】
図１において、ボタンタグ１はタグ本体４と係止手段（クリップ式）６より構成されている。タグ本体４は合成樹脂製で、直径はくるみボタン程度（１５〜３０ｍｍ）である。前記タグ本体４は、略円板状の基台４１と、該基台４１の表面に平面部を有する椀形カバー４２が着脱可能に取付けられている。前記基台４１と前記椀形カバー４２で囲まれた内部の空間部には、図３に示す送信器５を構成する高周波発信回路５１、送信回路５２、送信アンテナ５２ａ、制御回路５３、電源スイッチ５４、電源ランプ５６、電池消耗インジケーター（ＬＥＤランプ）５８、電子ブザー５７及びこれらを作動させる電池５５が組み込まれている。前記電池５５はボタン型電池や充電式電池を用いることができる。なお電池交換等は、基台４１の表面に設けられた電池蓋４３を取外すことにより行う。  
【００１４】
椀形カバー４２の正面中央部には、電源スイッチ５４が設けられている。この電源スイッチ５４の近傍には、電源ランプ５６、電子ブザー５７、電池消耗インジケーター５８が夫々設けられている。なお、前記電源ランプ５６、電子ブザー５７及び電池消耗インジケーター（ＬＥＤランプ）５８の配置は、図１に示した位置に限定されるものではなく、適宜、設置位置を変更することができる。  
【００１５】
前記電源スイッチ５４は、指先等で押す度に電源のＯＮ，ＯＦＦを繰り返すようになっている。電源がＯＮになると電子ブザー５７がピッと鳴るとともに、電源ランプ５６が点灯する。電池消耗インジケーター（ＬＥＤランプ）５８は、前記電池５５が消耗して所定電圧以下になると前記電池消耗インジケーター（ＬＥＤランプ）５８が点灯する。  
【００１６】
図１（ｂ）、図２（ｃ）に示すように、タグ本体４の裏面には、係止手段（クリップ式）６が固着されている。該係止手段（クリップ式）６は、固定把持片６１、可動把持片６２及びスイングレバー６３より構成されており、各把持片６１，６２及びスイングレバー６３の基端部は回動可能に連結されている。また、各把持片６１，６２の対向する先端側には、被挟着部（例えば、洋服の襟）から脱落しないように、滑り止め片６４が設けられている。    
【００１７】
図１（ｂ）はクリップの開放状態を示しており、例えば、洋服の襟に挟着するために固定把持片６１と可動把持片６２を挿入して、矢印で示すようにスイングレバー６３をボタンタグ１の基台４１側に押し付けると、前記固定把持片６１、可動把持片６２及びスイングレバー６３が閉止状態で固定され、前記ボタンタグ１は前記襟に固定される。また、前記スイングレバー６３を、前記ボタンタグ１の基台４１から離れる方向に引き離すと、前記ボタンタグ１を襟から取外すことができる。  
【００１８】
図２において、ボタンタグ２はタグ本体４と係止手段（ネジ式）７より構成されている。なお、タグ本体４については，前記図１で詳説したものと同一であるため説明は省略する。  図２（ｂ）、（ｃ）に示すように、タグ本体４の裏面中心部には、円板状の取付板７１が固着されている。取付板７１の中心部には、該取付板７１に対して直角方向に、先端に雄ネジが設けられた支持棒７２が固設されている。前記雄ネジには、雌ネジを有する円形ナット７３を着脱自在に螺設して衣服に取付ける。  前記ボタンタグは、クリップ式やネジ式に限定されるものではなく、衣服等に挟持できる形態の係止手段であれば用いることができる。  
【００１９】
前記タグ本体４の内部には、図３に示す送信器５が内蔵されており、特定周波数の無線信号（キャリア）又は予め登録されたＩＤ識別信号を無線信号で継続して発信する。発信間隔は、例えば、１〜３秒毎に発信している。  
【００２０】
ボタンタグ１、２は、徘徊ナビモニター（図示しない）のような機器を介しての使用に限定されるものではなく、コンソール（実用新案登録第３１７４７２６号参照。）や中継器を介して各種携帯端末で受信することが可能である。また、中継器を介してナースコールシステムに連動し、報知させることも可能である。
【００２１】
図３において、タグ本体５は、例えば略２０ｍｍ縦×２０ｍｍ横×１０ｍｍ厚とし、無線信号（キャリア）又はＩＤ識別信号を発信する高周波発振回路５１と、送信回路５２と、送信アンテナ５２ａと、制御回路５３及び電池５５（３Ｖ）より構成されている。前記制御回路５３には電源スイッチ５４が接続されており、指先等で押す度に電源のＯＮ，ＯＦＦを繰り返すようになっている。電源がＯＮになると電子ブザー５７がピッと鳴るとともに、電源ランプ５６が点灯する。また、電池が消耗して電圧が低下すると、電池消耗インジケーター５８が点灯する。
【産業上の利用可能性】
【００２２】
本考案のＩＤボタンタグは、ＩＤ識別信号によって装着者を識別し、より高い精度で対象者を検知することができる。また、該ＩＤボタンタグは非常に小さい送信器であり、対象者の衣服に装着した場合でも、違和感を低減することができるので、前記対象者による拒否反応が少なくなる。したがって、病院、介護施設及び家庭等において対象者の識別・検知装置として広く用いることが期待できる。
【符号の説明】
【００２３】
１，２  ボタンタグ４      タグ本体４１    基台４２    椀形カバー４３    電池蓋５      送信器５１    高周波発信回路５２    送信回路５２ａ  送信アンテナ５３    制御回路５４    電源スイッチ５５    電池（ボタン電池）５６    電源ランプ５７    電子ブザー５８    電池消耗インジケーター（ＬＥＤランプ）６      係止手段（クリップ式）６１    固定把持片６２    可動把持片６３    スイングレバー６４    滑り止め片７      係止手段（ネジ式）７１    取付板７２    支持棒７３    円形ナット
【図１】
0003221768.tif 000003
【図２】
0003221768.tif 000004
【図３】
0003221768.tif 000005
【手続補正書】
【提出日】平成31年4月2日(2019.4.2)
【手続補正１】
【補正対象書類名】実用新案登録請求の範囲
【補正対象項目名】全文
【補正方法】変更
【補正の内容】
【実用新案登録請求の範囲】
【請求項１】
着用する衣服に目立たないように装着可能な係止手段を有するＩＤボタンタグであって、該ＩＤボタンタグは、タグ本体と係止手段からなり、該タグ本体は特定周波数のキャリアと称する無線信号又は予め登録された識別信号（ＩＤ）を無線信号で継続して発信するものであり、高周波発振回路、送信回路、送信アンテナ、制御回路及び電池より構成されていることを特徴とするＩＤボタンタグ。
【請求項２】
前記ＩＤボタンタグは、電源ＯＮの状態で、キャリアと称する無線信号又はＩＤ識別信号を無線信号で常時又は間欠送信していることを特徴とする請求項１に記載のＩＤボタンタグ。
【請求項３】
ＩＤボタンタグと、該ＩＤボタンタグから発信された無線信号を受信、検知して看護・介護者に報知する報知器と、無線信号を報知器へ中継する中継器とから構成されていることを特徴とする請求項１又は２に記載のＩＤボタンタグを用いた離床・徘徊・見守り検知装置。
【請求項４】
前記報知器は、介護・介護者が携帯可能な携帯型又は所定位置に設置する固定型であることを特徴とする請求項３に記載のＩＤボタンタグを用いた離床・徘徊・見守り検知装置
【手続補正２】
【補正対象書類名】明細書
【補正対象項目名】０００５
【補正方法】変更
【補正の内容】
【０００５】
本考案は、前記課題を解決するために成されたものであり、ＩＤボタンタグは、タグ本体と着用する衣服に着脱可能に装着する係止手段から構成されている。前記タグ本体は、予め登録された識別信号を特定周波数域の無線信号を継続して発信する送信器であり、高周波発振回路、送信回路、送信アンテナ、制御回路及び電池を含んで構成されている。また、前記ボタンタグは、電源スイッチがＯＮの状態になると、キャリアと称する無線信号又はＩＤ識別信号を常時又は間欠送信（例えば１〜３秒毎に）している。
【手続補正３】
【補正対象書類名】明細書
【補正対象項目名】００１９
【補正方法】変更
【補正の内容】
【００１９】
前記タグ本体４の内部には、図３に示す送信器５が内蔵されており、特定周波数のキャリアと称する無線信号又は予め登録された識別信号（ＩＤ）を無線信号で継続して発信する。発信間隔は、例えば、１〜３秒毎に発信している。